(57)【要約】【課題】上面生地とその外周縁部に接合される側面生地の接合箇所を最小限とすることで、意匠的価値を高めつつコスト的に有利でかつマットレスの側面と下面端部の略全域を安定して覆うことが可能なマットレス用ボックスシーツ及びその製造方法を提供する。【解決手段】上面生地の外周端部の全域に接合される側面生地の長さが上面生地の外周端部の全長に対応し、その幅がマットレスの高さに略対応した帯状に形成され、幅方向の一端が上面生地の外周端部全域に接合されると共に長手方向の両端部が接合されることで、上面生地と側面生地が一体化されていることを特徴とする。前記上面生地と側面生地が二種類設定され、当該各上面生地と側面生地の表面側を外側に位置させて内面を略密着した状態で一体化することにより、ボックスシーツがリバーシブルに使用可能であることを特徴とする。【選択図】  図６
2020185224.tif 000002
【特許請求の範囲】
【請求項１】
マットレスの上面形状に対応した上面生地と、該上面生地の外周端部の全域に接合された側面生地と、を備えるマットレス用ボックスシーツであって、
前記側面生地は、その長さが前記上面生地の外周端部の全長に対応しその幅が前記マットレスの高さに略対応した帯状に形成され、幅方向の一端が前記上面生地の外周端部全域に接合されると共に長手方向の両端部が接合されることで、前記上面生地に一体化されていることを特徴とするマットレス用ボックスシーツ。
【請求項２】
前記上面生地と側面生地が二種類設定され、当該各上面生地と側面生地の表面側を外側に位置させて内面を略密着した状態で一体化することにより、リバーシブルに使用可能であることを特徴とする請求項１に記載のマットレス用ボックスシーツ。
【請求項３】
前記上面生地と側面生地の接合部及び又は前記側面生地の長手方向両端の接合部は、各生地の表面側から視認され難い接合手段で接合されていることを特徴とする請求項１または２に記載のマットレス用ボックスシーツ。
【請求項４】
前記側面生地の幅方向の他端に装着紐が配設されていることを特徴とする請求項１ないし３のいずれかに記載のマットレス用ボックスシーツ。
【請求項５】
マットレスの上面形状に対応した上面生地と、該上面生地の外周端部の全域に接合された側面生地と、を備えるマットレス用ボックスシーツの製造方法であって、
前記マットレスの上面形状に対応した前記上面生地を加工するステップと、その長さが前記上面生地の外周端部の全長に対応しその幅が前記マットレスの高さに略対応した帯状の前記側面生地を加工するステップと、加工された前記上面生地の外周端部全域に加工された前記側面生地の幅方向の一端を接合すると共に、当該側面生地の長手方向の両端部を接合するステップと、を備えることを特徴とするマットレス用ボックスシーツの製造方法。
【請求項６】
前記上面生地と側面生地を加工するステップで、第１上面生地及び第２上面生地と第１側面生地及び第２側面生地を加工して、前記第１上面生地と第１側面生地を接合した第１ボックスシーツと第２上面生地と第２側面生地を接合した第２ボックスシーツをそれぞれ作製し、これら第１ボックスシーツと第２ボックスシーツの各側面生地の幅方向の対応する他端を接合した後に、前記第１ボックスシーツと第２ボックスシーツの一方を他方の凹部内に収容して、各生地の表面側を外側に位置させつつ内面を略密着した状態で両ボックスシーツを一体化させるステップを備えることを特徴とする請求項５に記載のマットレス用ボックスシーツの製造方法。
【発明の詳細な説明】
【技術分野】
【０００１】
本発明は、ホテルや病院あるいは一般家庭等で使用される各種マットレスに着脱可能に装着されるマットレス用ボックスシーツ及びその製造方法に関する。
【背景技術】
【０００２】
従来、ベッド用のマットレスに装着されるボックス状のシーツ（ボックスシーツ）は、例えば特許文献１に開示されている。このボックスシーツは、マットレスの上面を覆うシーツ本体と、このシーツ本体の長手方向の外周部に接合される一対の伸縮部とで形成され、伸縮部は、直線状の外側縁部と２つの直線状の隅部及び凹状の内側曲線部をそれぞれ有している。
【０００３】
また、シーツ本体は、その長手方向と左右の内側に縁部を有すると共に、その角部（四隅）にそれぞれ直線状の傾斜部を有している。そして、シーツ本体の長手方向の縁部と該縁部に連続する一対の傾斜部に、伸縮部の隅部と内側曲線部を接合することで、ボックスシーツをマットレスに装着した場合に、伸縮部の頂点部がマットレスの上面側の角部に概ね対応する位置となるようにしている。
【先行技術文献】
【特許文献】
【０００４】
【特許文献１】特開２０１７−９９５９１号公報
【発明の概要】
【発明が解決しようとする課題】
【０００５】
しかしながら、このようなボックスシーツにおいては、シーツ本体がその長手方向の縁部と左右内側の縁部である四隅に傾斜部をそれぞれ有し、一対の伸縮部が２つの隅部と内側曲線部をそれぞれ有しているため、シーツ本体と伸縮部の接合（縫製）箇所が多くなってその作業が複雑になると共に、シーツ本体や伸縮部の形状自体が複雑化してその作製自体が面倒となって製造コストが嵩む等、コスト的に不利になったり接合部の外観が劣り易い。
【０００６】
また同時に、伸縮部がマットレスの長手方向の両端部に設けられるため、各伸縮部がマットレスの下面の長手方向の略両端部を覆うだけで、マットレスの両側面や下面等の外周全域を完全に覆うことが困難であり、ボックスシーツをマットレスに装着した際にその安定性が劣ることにもなる。
【０００７】
本発明は、このような事情に鑑みてなされたもので、その目的は、上面生地とその外周縁部に接合される側面生地の接合箇所を最小限とすることで、意匠的価値を高めつつコスト的に有利でかつマットレスの側面や下面端部の略全域を安定して覆うことが可能なマットレス用ボックスシーツ及びその製造方法を提供することにある。また、他の目的は、前記目的に加え、リバーシブルに使用可能なマットレス用ボックスシーツ及びその製造方法を提供することにある。
【課題を解決するための手段】
【０００８】
かかる目的を達成すべく、本発明のうち請求項１に記載の発明は、マットレスの上面形状に対応した上面生地と、該上面生地の外周端部の全域に接合された側面生地と、を備えるマットレス用ボックスシーツであって、前記側面生地は、その長さが前記上面生地の外周端部の全長に対応しその幅が前記マットレスの高さに略対応した帯状に形成され、幅方向の一端が前記上面生地の外周端部全域に接合されると共に長手方向の両端部が接合されることで、前記上面生地に一体化されていることを特徴とする。
【０００９】
また、請求項２に記載の発明は、前記上面生地と側面生地が二種類設定され、当該各上面生地と側面生地の表面側を外側に位置させて内面を略密着した状態で一体化することにより、リバーシブルに使用可能であることを特徴とする。また、請求項３に記載の発明は、前記上面生地と側面生地の接合部及び又は前記側面生地の長手方向両端の接合部が、各生地の表面側から視認され難い接合手段で接合されていることを特徴とする。さらに、請求項４に記載の発明は、前記側面生地の幅方向の他端に装着紐が配設されていることを特徴とする。
【００１０】
また、請求項５に記載の発明は、マットレスの上面形状に対応した上面生地と、該上面生地の外周端部の全域に接合された側面生地と、を備えるマットレス用ボックスシーツの製造方法であって、前記マットレスの上面形状に対応した前記上面生地を加工するステップと、その長さが前記上面生地の外周端部の全長に対応しその幅が前記マットレスの高さに略対応した帯状の前記側面生地を加工するステップと、加工された前記上面生地の外周端部全域に加工された前記側面生地の幅方向の一端を接合すると共に、当該側面生地の長手方向の両端部を接合するステップと、を備えることを特徴とする。
【００１１】
また、請求項６に記載の発明は、前記上面生地と側面生地を加工するステップで、第１上面生地及び第２上面生地と第１側面生地及び第２側面生地を加工して、前記第１上面生地と第１側面生地を接合した第１ボックスシーツと第２上面生地と第２側面生地を接合した第２ボックスシーツをそれぞれ作製し、これら第１ボックスシーツと第２ボックスシーツの各側面生地の幅方向の対応する他端を接合した後に、前記第１ボックスシーツと第２ボックスシーツの一方を他方の凹部内に収容して、各生地の表面側を外側に位置させつつ内面を略密着した状態で両ボックスシーツを一体化させるステップを備えることを特徴とする。
【発明の効果】
【００１２】
本発明のうち請求項１に記載の発明によれば、その長さが上面生地の外周端部の全長に対応しその幅がマットレスの高さに略対応した帯状に形成された側面生地の、幅方向の一端が上面生地の外周端部全域に接合されると共に長手方向の両端部が接合されることで、側面生地が上面生地に一体化されているため、上面生地とその外周端部に接合される側面生地の接合箇所を最小限として、ボックスシーツの意匠的価値（外観）を高めつつ、各生地の形状を簡略化してその加工作業や接合（縫製）作業を簡単に行うことができ、コスト的に有利なボックスシーツが得られると共に、上面生地の外周端部全域に接合される側面生地により、マットレスの側面や下面の外周端部の略全域を安定して覆うことができる。
【００１３】
また、請求項２に記載の発明によれば、請求項１に記載の発明の効果に加え、上面生地と側面生地が二種類設定され、当該各上面生地と側面生地がその表面側を外側に位置させて内面を略密着させた状態で一体化されているため、ボックシーツを表裏両面で使用すなわちボックスシーツをリバーシブルに使用できて、使い勝手や肌触り等に優れると共に耐久性に優れ長期に亘り安定使用可能なボックスシーツを得ることができる。
【００１４】
また、請求項３に記載の発明によれば、請求項１または２に記載の発明の効果に加え、上面生地と側面生地の接合部や側面生地の長手方向両端の接合部が、各生地の表面側から視認され難い接合手段で接合されているため、例えば縫製部位を各生地の裏面側に位置させることで、接合部の縫い目等を表面側から視認し難くでき、意匠的に一層優れたボックスシーツを得ることができる。
【００１５】
さらに、請求項４に記載の発明によれば、請求項１ないし３に記載の発明の効果に加え、側面生地の幅方向の他端に装着紐が配設されているため、マットレスの上面と外周全側面をボークスシーツで完全に覆った状態で装着紐により側面生地の他端をマットレスの下面に確実に位置させることができて、ボックスシーツのマットレスへの安定した装着状態を簡単に得ることができる。
【００１６】
また、請求項５に記載の発明によれば、上面生地や側面生地を加工するステップと、加工された上面生地の外周端部全域に加工された側面生地の幅方向の一端を接合すると共に当該側面生地の長手方向の両端部を接合するステップを備えるため、上面生地とその外周端部に接合される側面生地の接合箇所を最小限として、ボックスシーツの意匠的価値（外観）を高めつつ、各生地の形状を簡略してその加工作業や接合（縫製）作業を簡単に行うことができて、コスト的に有利なボックスシーツが得られると共に、上面生地の外周端部全域に接合される側面生地により、マットレスの側面と下面端部の略全域を安定して覆うことができる。
【００１７】
また、請求項６に記載の発明によれば、請求項５に記載の発明の効果に加え、それぞれ上面生地と側面生地を有する第１ボックスシーツと第２ボックスシーツの、各側面生地の幅方向の対応する他端を接合した後に、第１ボックスシーツと第２ボックスシーツの一方を他方の凹部内に収容して両ボックスシーツを一体化させるステップを備えるため、ボックシーツを表裏両面で使用すなわちリバーシブルに使用できて、使い勝手等に優れかつ長期に亘り安定使用可能なボックスシーツを容易に得ることができる。
【図面の簡単な説明】
【００１８】
【図１】本発明に係わるマットレス用ボックスシーツの概略斜視図
【図２】同その概略底面図
【図３】同図２のＡ−Ａ線断面図
【図４】同図３のＢ部の拡大図
【図５】同図３のＣ部の拡大図
【図６】本発明に係わるマットレス用ボックスシーツの製造方法の一例を示す工程図
【図７】同その説明図
【発明を実施するための形態】
【００１９】
以下、本発明を実施するための形態を図面に基づいて詳細に説明する。
図１〜図３に示すように、本発明のマットレス用ボックスシーツ１（以下、ボックスシーツ１という）は、後述する如く互いに重ね合わされた第１ボックスシーツ１Ａと第２ボックスシーツ１Ｂ（図２、図３参照）を有し、各ボックスシーツ１Ａ、１Ｂは、それぞれ上面生地１ａと側面生地１ｂでボックス状に構成されている。
【００２０】
前記上面生地１ａは、ボックスシーツ１が装着される図１に示す例えばベッド用のマットレス２の上面２ａの形状に対応した略同一面積の平面視長方形状に形成され、その外周縁に長手方向の一対の端部１ａ１と左右方向の一対の端部１ａ２を有している。また、前記側面生地１ｂは、前記マットレス２の高さｈに略対応した同一幅か若干大きい幅ｗ（図７参照）で、上面生地１ａの各端部１ａ１、１ａ２全体の長さに略対応した長尺の帯状に形成されている。
【００２１】
そして、前記側面生地１ｂは、その幅ｗ方向（マットレス２の高さｈ方向）の一方の端部１ｂ１（図１において上方端）が、前記上面生地１ａの合計４つの端部１ａ１、１ａ２に後述する縫製等の接合手段により接合部３ａでそれぞれ接合されている。また、側面生地１ｂの接合端部としての長手方向の一対の端部１ｂ３が、上面生地１ａの後述する所定の角部（隅部）に対応する位置で側面生地１ｂの幅ｗ方向（高さｈ方向）全域において前記接合部３ａと略同様の接合手段からなる接合部３ｂで互いに接合されている。
【００２２】
これにより、上面生地１ａと側面生地１ｂが一体化されて、ボックスシーツ１の上面生地１ａと側面生地１ｂの内側には凹部４（図２、図３参照）が形成され、この凹部４を利用してボックスシーツ１を図１に示すマットレス２の上面２ａに上方からかぶせることにより、ボックスシーツ１がマットレス２に装着されるようになっている。なお、前記上面生地１ａや側面生地１ｂは、通気性や吸湿性等のある例えばガーゼ生地が使用されるが、ボックスシーツ１の用途に応じて綿、麻、化繊、ニット生地等を使用することも勿論可能である。
【００２３】
前記第１ボックスシーツ１Ａと第２ボックスシーツ１Ｂは、その上面生地１ａと側面生地１ｂが、例えば色彩や模様等が互いに異なる二枚（二種類）の同一生地を重ね合わせた状態となっている。すなわち、図２〜図５に示すように、各ボックスシーツ１Ａ、１Ｂは、例えば厚さが１ｍｍ以下の薄いガーゼ生地からなる略同一形状の第１上面生地１ａ−１及び第２上面生地１ａ−２と第１側面生地１ｂ−１及び第２側面生地１ｂ−２とを、前述したように接合することによって構成されている。
【００２４】
このとき、図４に拡大して示すように、第１ボックスシーツ１Ａの第１上面生地１ａ−１と第１側面生地１ｂ−１は、第２ボックスシーツ１Ｂと重ね合わされる内面と反対側の表面（外面）が、ボックスシーツ１の外面側に位置する。また、第２ボックスシーツ１Ｂの第２上面生地１ａ−２と第２側面生地１ｂ−２は、第１ボックスシーツ１Ａに密着する内面と反対側の表面（外面）が、ボックスシーツ１の凹部４側（外面側）に位置した状態となっている。
【００２５】
また、図２及び図３に示すように、前記ボックスシーツ１Ａ、１Ｂの側面生地１ｂ−１、１ｂ−２の幅ｗ方向の他方の端部１ｂ２には、平ゴムや丸ゴム等の装着紐としてのゴム紐５が配設されている。このゴム紐５は、図５に拡大して示すように、第１側面生地１ｂ−１と第２側面生地１ｂ−２の各端部１ｂ２間に挟持された状態で縫製等により伸縮可能状態で固着されている。このゴム紐５の長さは、マットレス２の下面の外周縁の全長より所定寸法短くなるように設定されている。なお、図４及び図５は簡易的に示したもので、上面生地１ａ−１、１ａ−２と側面生地１ｂ−１、１ｂ−２の接合部３ａにおける、縫製部位６を含めた各生地の端末処理等の構造は、例えば全ての端末を折り返し構造とする等、適宜に変更可能であることは言うまでもない。
【００２６】
ここで、前記ボックスシーツ１の製造方法の一例を図６及び図７に基づいて説明する。先ず、ガーゼ生地の反物をカット等により、図７（ａ）に示すような第１上面生地１ａ−１と第２上面生地１ａ−２を加工（Ｓ１）する。また、各上面生地１ａ−１、１ａ−２と同様にして、図７（ｂ）に示すような幅ｗで所定長さの第１側面生地１ｂ−１と第２側面生地１ｂ−２を加工（Ｓ２）する。
【００２７】
各生地１ａ−１、１ａ−２、１ｂ−１、１ｂ−２を加工したら、図７（ｃ）に示すように、第１上面生地１ａ−１の外周縁の各端部１ａ１、１ａ２に第１側面生地１ｂ−１の幅ｗ方向の一方の端部１ｂ１を縫製部位６で接合すると共に、第１側面生地１ｂ−１の長手方向両端の一対の接合端部１ｂ３を互いに縫製部位６で接合（Ｓ３）することで、第１上面生地１ａ−１と第１側面生地１ｂ−１とを一体化して第１ボックスシーツ１Ａを作製する。
【００２８】
また同様にして、図７（ｄ）に示すように、第２上面生地１ｂ−２の外周縁の各端部１ａ１、１ａ２に第２側面生地１ｂ−２の幅ｗ方向の一方の端部１ｂ１を縫製部位６で接合すると共に、第２側面生地１ｂ−２の長手方向両端の一対の接合端部１ｂ３を互いに縫製部位６で接合（Ｓ４）することで、第２上面生地１ａ−２と第２側面生地１ｂ−２とを一体化して第２ボックスシーツ１Ｂを作製する。なお、図７（ｃ）（ｄ）においては、説明の便宜上、第１ボックスシーツ１Ａと第２ボックスシーツ１Ｂを上下逆で示している。
【００２９】
ところで、第１ボックスシーツ１Ａと第２ボックスシーツ１Ｂにおける各生地の接合は、図４に示すように、少なくとも一方の生地の接合端部を折り返し、この折り返し部分に他方の生地の接合端部を当接させて、接合部３ａの裏面（内面）側から例えば縫製部位６を「かがり縫い」や「まつり縫い」等の表面（外面）側に縫い目が出ない縫い方で縫って行うことが好ましい。これにより接合部３ａの縫い目が各生地の内面側（裏面側）に位置して、生地の表面（外面）側からは接合部３ａの縫い目が明瞭に視認され難くなっている。この接合（縫製）の仕方は、各側面生地１ｂ−１、１ｂ−２の長手方向の接合端部１ｂ３の接合部３ｂ等においても同様である。
【００３０】
第１ボックスシーツ１Ａと第２ボックスシーツ１Ｂを作製したら、図７（ｅ）に示すように、この両ボックスシーツ１Ａ、１Ｂの各側面生地１ｂ−１、１ｂ−２の他方の端部１ｂ２の全周をそれぞれ接合、すなわち第１ボックスシーツ１Ａと第２ボックスシーツ１Ｂの側面生地１ｂ−１、１ｂ−２の端部１ｂ２同士を、例えば前記接合部３ａと同様に縫製部位６で接合（Ｓ５）する。これにより、両ボックスシーツ１Ａ、１Ｂの両側面生地１ｂ−１、１ｂ−２の他方の端部１ｂ２が接合一体化されて、各ボックスシーツ１Ａ、１Ｂの各凹部４が略閉塞された状態の一体ボックスシーツ１Ｃとなる。
【００３１】
次に、図７（ｆ）に示すように、この一体ボックスシーツ１Ｃの一方である例えば第１ボックスシーツ１Ａを、第２ボックスシーツ１Ｂの凹部４内に手動もしくは適宜の治具等を使用して押し込み、第２ボックスシーツ１Ｂ内に第１ボックスシーツ１Ａを収容状態とする。これにより、第１ボックスシーツ１Ａの上面生地１ａ−１と側面生地１ｂ−１の内面が、第２ボックスシーツ１Ｂの上面生地１ａ２と側面生地１ｂ−２の内面に略密着接した状態となって、２つのボックスシーツ１Ａ、１Ｂが一体化されたボックスシーツ素材が作製される。
【００３２】
このとき、各ボックスシーツ１Ａ、１Ｂの各生地が薄くかつ通気性があることから、第１ボックスシーツ１Ａを第２ボックスシーツ１Ｂの凹部４内に収容した際に凹部４内の空気が外部に自動的に排気されると共に、各生地内面の吸引力等により各生地が互いに引き寄せられて互いに略密着した状態が容易に得られる。なお、この一体化においては、第１ボックスシーツ１Ａと第２ボックスシーツ１Ｂの側面生地１ｂ−１、１ｂ−２の接合部３ｂが、例えばマットレス２の上面の四つの角部のうちのいずれからの角部位置となるように設定されることが好ましい。
【００３３】
そして、ボックスシーツ素材が作製されたら、例えば第１側面生地１ｂ−１（もしくは第２側面生地１ｂ−２）の他方の端部１ｂ２に、図５に示すようにしてゴム紐５を取り付ける（Ｓ７）。これにより、本願発明のボックスシーツ１の作製が完了し、このボックスシーツ１は、上面生地１ａと側面生地１ｂの接合部３ａや側面生地１ｂの長手方向両端の接合部３ｂの縫い目である縫製部位６が各生地の内面側に位置していることから、外面側からは視認され難く、ボックスシーツ１としての意匠が損なわれることもなくなる。
【００３４】
また、第１ボックスシーツ１Ａと第２ボックスシーツ１Ｂの各上面生地１ａ−１、１ａ−２の内面と側面生地１ｂ−１、１ｂ−２の内面がそれぞれ略密着した状態となり、各上面生地１ａ−１、１ａ−２の表面が外面側に位置するため、ボックスシーツ１をリバーシブルで使用することができる。すなわち、第１ボックスシーツ１Ａの第１上面生地１ａ−１等が第２ボックスシーツ１Ｂの凹部４内に位置する図７（ｆ）の場合は、図７（ｆ）の位置からボックスシーツ１全体を反矢印イ方向に上下（表裏）反転させることで、第２ボックスシーツ１Ｂの上面生地１ａ−２を最上面としてマットレス２の上面２ａ上に位置させることができる。
【００３５】
また、図７（ｆ）の状態から、各ボックスシーツ１Ａ、１Ｂの側面生地１ｂ−１、１ｂ−２を矢印イ方向に折り返すと、第１ボックスシーツ１Ａの上面生地１ａ−１がボックスシーツ１の最上面となってマットレス２の上面２ａ上に位置させることができる。なお、ボックスシーツ１の側面生地１ｂ−１、１ｂ−２や上面生地１ａ−１、１ｂ２が布生地であることから、これらの折り返し等は、容易に行える。
【００３６】
つまり、ボックスシーツ１の側面生地１ｂ−１、１ｂ−２を上面生地１ａ−１、１ａ−２方向に折り返す等の作業で、各ボックスシーツ１Ａ、１Ｂの上面生地１ａ−１、１ａ−２のいずれかを最上面としてリバーシブルで使用でき、例えば第１ボックスシーツ１Ａと第２ボックスシーツ１Ｂの各生地の色彩等を異ならせることで、一つのボックスシーツ１を二種類の色彩で使用でき意匠的に優れたボックスシーツ１が得られることになる。なお、図６に示す製造工程は、図示した工程順に限定されるものではなく、工場の規模や設備等に応じて、所定のステップを適宜に前後させることも可能である。
【００３７】
このように、前記ボックスシーツ１によれば、その長さが上面生地１ａの外周端部の全長に対応し、その幅ｗがマットレス２の高さｈに略対応した帯状に形成された側面生地１ｂの、幅方向の端部１ｂ１が上面生地１ａの外周端部全域に接合されると共に長手方向の接合端部１ｂ３が接合されることで、側面生地１ｂが上面生地１ａに一体化されているため、上面生地１ａとその外周端部に接合される側面生地１ｂの接合箇所を最小限として、ボックスシーツ１の外観やデザイン等の意匠的価値を高めることができると共に、各生地の形状が極めて簡略化されてその加工作業や接合（縫製）作業を簡単に行うことができ、コスト的に有利なボックスシーツ１を得ることができる。
【００３８】
また、上面生地１ａや側面生地１ｂを二種類（二枚）設定して、各上面生地１ａ−１、１ａ−２や各側面生地１ｂ−１、１ｂ−２の表面側を外側に位置させて内面を略密着した状態で各上面生地１ａ−１、１ａ−２と各側面生地１ｂ−１、１ｂ−２が一体化されているため、ボックシーツ１を表裏両面で使用、すなわちリバーシブルに使用できて、ボックスシーツ１の使い勝手が優れると共に、２枚の生地の重ね合わせにより、１枚生地の場合に比較して肌触り感を高めつつ耐久性を向上させて長期に亘り安定使用可能なボックスシーツ１を得ることができる。
【００３９】
また、上面生地１ａと側面生地１ｂの接合部３ａ、３ｂが、各生地の表面側から視認され難い縫製により接合されているため、例えばかがり縫い等の縫製部位６を各生地の裏面側に位置させることができて、接合部３ａ、３ｂを表面側から視認し難くでき、意匠的に一層優れたボックスシーツ１を容易に得ることができる。
【００４０】
さらに、側面生地１ｂの幅ｗ方向の他方の端部１ｂ２にゴム紐５が配設されているため、マットレス２の上面２ａと全側面２ｂをボークスシーツ１で完全に覆った状態で、ゴム紐５により側面生地１ｂの他方の端部１ｂ２をマットレス２の下面の外周端部に位置させることができて、ボックスシーツ１をマットレス２に安定した状態で簡単に装着できると共に、ゴム紐５を利用して装着したボックスシーツ１をマットレス２から容易に取り外すことができる等、ボックスシーツ１の交換作業等を容易に行うことができる。
【００４１】
特に、上面生地１ａの外周端部全域に接合される側面生地１ｂの幅ｗが、マットレス２の高さｈより大きく設定されていることから、マットレス２の側面２ｂの全面と下面の一部を安定して覆うことができ、必要最低限の生地面積でボックスシーツ１のマットレス２からの安易な脱落を確実に防止することもできる。
【００４２】
また、ボックスシーツ１が、上面生地１ａや側面生地１ｂを加工するステップＳ１、Ｓ２と.加工された上面生地１ａの外周端部全域に側面生地１ｂの幅方向の一方の端部１ｂ１を接合すると共に当該側面生地１ｂの長手方向両端の接合端部１ｂ３を接合する接合ステップＳ５を備えて製造されるため、上面生地１ａとその外周端部に接合される側面生地１ｂの接合箇所を最小限として、各生地の形状を簡略化してその加工作業や接合（縫製）作業を簡単に行うことができる。その結果、ボックスシーツ１の外観やデザイン等の意匠的価値を高めつつ、コスト的に有利なボックスシーツが得られると共に、上面生地１ａの外周端部全域に接合される側面生地１ｂにより、マットレス１の側面２ｂと下面端部の略全域を安定して覆うことが可能なボックスシーツ１を容易に製造することができる。
【００４３】
また、それぞれ上面生地１ａ−１、１ａ−２と側面生地１ｂ−１、１ｂ−２を有する第１ボックスシーツ１Ａと第２ボックスシーツ１Ｂの、各側面生地１ｂ−１、１ｂ−２の幅ｗ方向のそれぞれ対応する他端を接合ステップＳ５で接合し、該接合後に、第１ボックスシーツ１Ａと第２ボックスシーツ１Ｂの一方を他方の凹部４内に押し込み収容することで両ボックスシーツ１Ａ、１Ｂを一体化させるステップＳ６を備えるため、ボックシーツ１を表裏両面で使用、すなわちリバーシブルに使用できて、使い勝手や場触り等に優れ、かつ耐久性を向上させて長期に亘り安定使用可能なボックスシーツ１を容易に製造することができる。
【００４４】
なお、前記実施形態においては、ボックスシーツ１が同一のガーゼ生地からなる第１ボックスシーツ１Ａと第２ボックスシーツ１Ｂを有し、これらを重ね合わせて使用する構成としたが、本発明はこの構成に限定されず、例えば一つ（一枚）の上面生地と側面生地のみで構成することもできるし、第１ボックスシーツ１Ａと第２ボックスシーツ１Ｂの各生地を色彩以外に材質を異ならせること等も可能である。
【００４５】
また、前記実施形態におけるボックスシーツ１の各生地の接合方法もかがり縫いやまつり縫いに限らず、例えばフラットシーマ等の他の縫製方法を使用したり縫製と接着剤等の接合構造を併せて使用する等、表面側に縫い目ができるだけ出ない適宜の縫製（接合）方法等を採用することも可能である。
【００４６】
さらに、前記実施形態においては、マットレス２をその高さｈが比較的高いベッド用のマットレスとして説明したが、本発明に係わるマットレス２としては、例えば一般家庭で普及している所定の弾力や復元力を有する反発素材を使用した低反発マットレスや高反発マットレスにも適用できる。この場合の反発マットレスは、ベッド用マットレスや敷布団上に載置した状態で使用されるため、ボックスシーツ１は、反発マットレスのみを覆う高さ寸法ｈに設定することもできるし、反発マットレスとベッド用マットレを同時に覆う高さ寸法ｈに設定することも可能である。
【００４７】
また、前記実施形態における側面生地の面積や厚さ等の形状、装着紐の構成やその取り付け構造等は一例であって、例えば装着紐として通常の布糸を使用する等、本発明に係わる各発明の要旨を逸脱しない範囲において、適宜の構成を採用することができる。
【産業上の利用可能性】
【００４８】
本発明は、ホテルや病院あるいは一般家庭等のベッド用のマットレスへの適用に限らず、単体で使用するマットレス等、全てのマットレスにも利用可能である。
【符号の説明】
【００４９】
１・・・・・・・・・・マットレス用ボックスシーツ
１Ａ・・・・・・・・・第１ボックスシーツ
１Ｂ・・・・・・・・・第２ボックスシーツ
１Ｃ・・・・・・・・・一体ボックスシーツ
１ａ・・・・・・・・・上面生地
１ａ１・・・・・・・・長手方向の端部
１ａ２・・・・・・・・左右方向の端部
１ａ−１・・・・・・・第１上面生地
１ａ−２・・・・・・・第２上面生地
１ｂ・・・・・・・・・側面生地
１ｂ１・・・・・・・・一方の端部
１ｂ２・・・・・・・・他方の端部
１ｂ３・・・・・・・・接合端部
１ｂ−１・・・・・・・第１側面生地
１ｂ−２・・・・・・・第２側面生地
２・・・・・・・・・・マットレス
２ａ・・・・・・・・・上面
２ｂ・・・・・・・・・側面
３ａ・・・・・・・・・接合部
３ｂ・・・・・・・・・接合部
４・・・・・・・・・・凹部
５・・・・・・・・・・ゴム紐
６・・・・・・・・・・縫製部位
ｗ・・・・・・・・・・側面生地の幅
ｈ・・・・・・・・・・マットレスの高さ
【図１】
2020185224.tif 000003
【図２】
2020185224.tif 000004
【図３】
2020185224.tif 000005
【図４】
2020185224.tif 000006
【図５】
2020185224.tif 000007
【図６】
2020185224.tif 000008
【図７】
2020185224.tif 000009